(57)【要約】【課題】  薄暗い施工現場であっても、短時間で確実に吊下げ連結できるようにして、作業性を改善した吊戸の開閉装置を提供する。【解決手段】  戸枠１の上レール２で走行ガイドされる上ランナー６に、吊戸５Ａ〜５Ｄの上部に取付けたベースカップ７を吊下げ連結して、戸枠１の開口を開閉するようにした吊戸の開閉装置であって、前記ベースカップ７には、前記上ランナー６の吊下げ用軸部材１５を側方から嵌め込んで係止可能な係止凹部７Ｂを設けて、この係止凹部７Ｂの前記吊下げ用軸部材１５の嵌め込み側の軸線Ｃ上の位置に発光部１６Ａ，１６Ｂを設けている。【選択図】  図４
2006063578.tif 000002
【特許請求の範囲】
【請求項１】
戸枠の上レールで走行ガイドされる上ランナーに、吊戸の上部に取付けたベースカップを吊下げ連結して、戸枠の開口を開閉するようにした吊戸の開閉装置であって、
前記ベースカップには、前記上ランナーの吊下げ用軸部材を側方から嵌め込んで係止可能な係止凹部を設けて、この係止凹部の前記吊下げ用軸部材の嵌め込み側の軸線上の位置に発光部を設けていることを特徴とする吊戸の開閉装置。
【請求項２】
前記発光部は、前記係止凹部で係止された吊下用軸部材の係止を解除操作するロックレバーに設けていることを特徴とする請求項１記載の吊戸の開閉装置。
【発明の詳細な説明】
【技術分野】
【０００１】
本発明は、吊戸の吊下げ連結作業性を改善した吊戸の開閉装置に関する。
【背景技術】
【０００２】
従来、戸枠の上レールで走行ガイドされる上ランナーに、吊戸の上部に取付けた取付け部材を吊下げ連結して、戸枠の開口を開閉するようにした吊戸の開閉装置がある（特許文献１参照）。
【０００３】
そして、上ランナーに吊戸の取付け部材を吊下げ連結する作業は、施工現場で行うようになっている。
【特許文献１】特開平１０−３１７７８２号公報
【発明の開示】
【発明が解決しようとする課題】
【０００４】
しかしながら、施工現場は薄暗いことが多く、吊戸は重い（例えば３５Ｋｇ）うえに、吊下げ連結部分はフロアから高い位置（例えば２３００ｍｍ）にあることから、施工者が薄暗い施工現場で、重い吊戸を持って、高い位置にある上ランナーに吊戸の取付け部材を吊下げ連結する作業が非常に困難であるという問題があった。
【０００５】
本発明は、前記問題を解消するためになされたもので、薄暗い施工現場であっても、短時間で確実に吊下げ連結できるようにして、作業性を改善した吊戸の開閉装置を提供することを課題とするものである。
【課題を解決するための手段】
【０００６】
前記課題を解決するために、本発明は、戸枠の上レールで走行ガイドされる上ランナーに、吊戸の上部に取付けたベースカップを吊下げ連結して、戸枠の開口を開閉するようにした吊戸の開閉装置であって、前記ベースカップには、前記上ランナーの吊下げ用軸部材を側方から嵌め込んで係止可能な係止凹部を設けて、この係止凹部の前記吊下げ用軸部材の嵌め込み側の軸線上の位置に発光部を設けていることを特徴とするものである。
【０００７】
前記発光部は、前記係止凹部で係止された吊下用軸部材の係止を解除操作するロックレバーに設けることができる。
【発明の効果】
【０００８】
本発明によれば、吊戸の上部に取付けたベースカップの係止凹部に、上ランナーの吊下げ用軸部材の嵌め込み側の軸線上の位置に発光部を設けたから、薄暗い施工現場であっても、発光部を目印にすることで、重い吊戸を持って、高い位置にある上ランナーの吊下げ用軸部材に吊戸のベースカップを吊下げ連結する作業が短時間（約１〜２秒）で確実に行えるので、作業性が改善されるようになる。
【発明を実施するための最良の形態】
【０００９】
以下、本発明を実施するための最良の形態について、図面を参照しながら詳細に説明する。
【００１０】
図１〜図３に示すように、クローゼット等の出入り口部分の壁部に横長長方形状の戸枠１が設置され、戸枠１の上部に左右方向に延在する上レール２が埋設され、戸枠１の下部に、左右方向に延在する下レール３が埋設されている。
【００１１】
前記戸枠１の開口は、例えば４枚の折戸５Ａ〜５Ｄで閉じられるようになっていて、左側２枚の折戸５Ａ，５Ｂと、右側２枚の折戸５Ｃ，５Ｄは、それぞれ内縁部同士がヒンジ金具１１で中折れ可能に連結されている。
【００１２】
前記上レール２では、各折戸５Ａ〜５Ｄに対応する４個の上ランナー６が左右方向に走行ガイドされ、各上ランナー６に、各折戸５Ａ〜５Ｄの上部にそれぞれ取付けられたベースカップ７が吊下げ連結されるとともに、各折戸５Ａ〜５Ｄの下部にそれぞれ取付けられた下ランナー８が下レール３でガイドされるようになっている。
【００１３】
そして、左端の折戸５Ａを吊元固定して、折戸５Ｂの取手９を持って左方Ｌに引けば、左側２枚の折戸５Ａ，５Ｂがヒンジ部分で手前方向に折り畳まれながら、戸枠１の開口の左半分が開かれるとともに、右端の折戸５Ｄを吊元固定して、折戸５Ｃの取手１０を持って右方Ｒに引けば、右側２枚の折戸５Ｃ，５Ｄがヒンジ部分で手前方向に折り畳まれながら、戸枠１の開口の右半分が開かれるようになる。
【００１４】
図４〜図６に詳細に示すように、前記上ランナー６は、基台１３の前後左右に計４個のローラ１４が設けられ、このローラ１４によって、上ランナー６が上レール２内を左右方向に走行するようになる。
【００１５】
前記基台１３の下部には吊下げ用軸部材１５が垂下状態で取付けられ、この軸部材１５の下端には大径の頭部１５ａが設けられている。また、前記基台１３の上部には、側面視で略Ｖ字状溝１３ａが形成されている。
【００１６】
前記ベースカップ７は、折戸５Ａの左端上部、折戸５Ｂの右端上部、折戸５Ｃの左端上部、折戸５Ｄの右端上部にそれぞれ取付けられている。
【００１７】
具体的には、前記折戸５Ａ〜５Ｄの左端または右端の上部には、図８に示すように、有底の大径嵌合穴５ａが形成され、この大径嵌合穴５ａの底部中心に小径ボス穴５ｂが形成されるとともに、小径ボス穴５ｂの中心よりも下方の左右位置に、タッピングねじ用穴５ｃが形成されている。
【００１８】
前記ベースカップ７は、図４〜図６に示したように、前記上ランナー６の吊下げ用軸部材１５に側方から嵌め込んで係止可能な係止凹部７Ｂが設けられた円筒状の基体部７Ａと、この基体部７Ａの前部のフランジ部７Ｃとで構成されて、前記基体部７Ａの後部には、図７および図９に詳細に示すように、外周に複数の圧入用凹凸段部７ｂを有するボス部７ａが形成されている。
【００１９】
前記ベースカップ７は、基台部７Ａを折戸５Ａ〜５Ｄの大径嵌合穴５ａに嵌合させながらボス部７ａを小径ボス穴５ｂに圧入して、フランジ部７Ｃを折戸５Ａ〜５Ｄの表面に当てがい、フランジ部７Ｃの座ぐり穴７ｃからタッピングねじ１２（図３参照）を前記タッピングねじ用穴５ｃにねじ込むことにより、折戸５Ａ〜５Ｄの上部に固定状態で取付けられるようになる。
【００２０】
前記係止凹部７Ｂには、平面視でΩ字状のクリップ部７ｄが形成され、このクリップ部７ｄは、上ランナー６の吊下げ用軸部材１５の頭部１５ａに側方から無理嵌めしたときに、頭部１５ａが嵌まり込む内径に設定されている。このクリップ部７ｄの奥には、吊下げ用軸部材１５に側方から嵌め込まれる軸凹部７ｅが形成されている。
【００２１】
前記係止凹部７Ｂのクリップ部７ｄの下方には、図１０に示すように、ロックレバー１７がヒンジ軸１７ａで上下揺動自在に支持されて、このロックレバー１７は、スプリング１８で上方に付勢された状態で、ほぼ水平位置で当て止められている。
【００２２】
前記ベースカップ７には、図４、図５に示すように、係止凹部７Ｂの吊下げ用軸部材１５の嵌め込み側の軸線Ｃ上の位置に、クロスハッチングで示す発光部１６Ａ，１６Ｂを設けている。前記発光部１６Ａは、ロックレバー１７に設けたものであり、前記発光部１６Ｂは、クリップ部７ｄの入口部分に設けたものである。なお、前記発光部１６Ｂは、クリップ部７ｄの入口部分だけで無く、係止凹部７Ｂのいずれかの部分に設けても良い。なおまた、発光部１６Ａ，１６Ｂは、ロックレバー１７と係止凹部７Ｂのいずれか一方であっても良い。
【００２３】
また、発光部１６Ａ，１６Ｂは、前記吊下げ用軸部材１５にも設けても良い。
【００２４】
前記発光部１６Ａ，１６Ｂは、太陽光や蛍光灯の光を吸収して備蓄し、消灯後に徐々に放出・発光する蓄光部材（蓄光蛍光体、蓄光塗料、蛍光顔料等）をロックレバー１７やクリップ部７ｄに塗布若しくは貼付けたり、あるいは、ロックレバー１７であれば、蓄光部材を含ませた合成樹脂で成形することができる。
【００２５】
蓄光部材としては、例えば根本特殊化学／Ｎ夜光、またはＳｒＡｌ4：Ｅｕ〔発光ピーク波長５２０μｍ、残光輝度３００ｍｃｄ／ｍ2（２００ＬＸで４分照射した２０分後の輝度）、残光時間２０００分以上（０．３２ｍｃｄ／ｍ2に減衰するまで要する時間）〕、またはＺｎｓ：Ｃｕ、またはＺｎＳ、ＣｄＳ、ＣａＳ、（ＺｎＣｄ）Ｓ等の一種または二種類の硫化物系蓄光部材などを任意の部材としてよい。
【００２６】
蓄光部材は、発光色が赤、青、黄緑色またはその他の色など任意に選択して良い。
【００２７】
そして、上ランナー６に折戸５Ａ〜５Ｄをそれぞれ取付ける際には、下ランナー８を折戸５Ａ〜５Ｄとともにピボット２３を下レール３に落とし込んだ状態で、図１０（ａ）（ｂ）のように、上レール２の上ランナー６の吊下げ用軸部材１５の頭部１５ａに、折戸５Ａ〜５Ｄのベースカップ７のクリップ部７ｄを内方に向かって無理嵌めして、上ランナー６に折戸５Ａ〜５Ｄを倒れないように仮固定する。この上ランナー６の吊下げ用軸部材１５の頭部１５ａに、折戸５Ａ〜５Ｄのベースカップ７のクリップ部７ｄを内方に向かって無理嵌めする際には、発光部１６Ａ，１６Ｂを目印にすれば良い。
【００２８】
この状態で、図１０（ｃ）のように、折戸５Ａ〜５Ｄを上方に持ち上げると、ロックレバー１７がスプリング１８の付勢力に抗して吊下げ用軸部材１５の頭部１５ａで押されて下揺動され、このロックレバー１７の下向き傾斜によって、持ち上げに伴って折戸５Ａ〜５Ｄが内方に押され、頭部１５ａがクリップ部７ｄの下方に抜け外れて、図１１のように、係止凹部７Ｂの軸凹部７ｅが吊下げ用軸部材１５に側方から嵌め込まれるようになる。
【００２９】
これとともに、頭部１５ａによる押し下げが解除されたロックレバー１７がスプリング１８の付勢力でほぼ水平位置に復帰することで頭部１５ａをロックするので、吊下げ用軸部材１５が軸直交方向に移動できなくなる。
【００３０】
その後、折戸５Ａ〜５Ｄの持ち上げをやめて手を離すと、吊下げ用軸部材１５の頭部１５ａに係止凹部７Ｂの軸凹部７ｅの下面７ｆが引っ掛かるので、上ランナー６に、折戸５Ａ〜５Ｄのベースカップ７が吊下げ連結されて本固定されるようになる。
【００３１】
なお、上ランナー６から折戸５Ａ〜５Ｄを取外す際には、ロックレバー１７を下揺動方向に手操作して吊下げ用軸部材１５の頭部１５ａのロックを解除し、折戸５Ａ〜５Ｄを外方に押すと、吊下げ用軸部材１５から係止凹部７Ｂの軸凹部７ｅが抜け外れ、下面７ｆの引っ掛けが解除されて自重で下がる折戸５Ａ〜５Ｄに伴って、吊下げ用軸部材１５の頭部１５ａがクリップ部７ｄに再び入り込むので〔図１０（ｂ）参照〕、折戸５Ａ〜５Ｄをさらに外方に押すと、クリップ部７ｄが吊下げ用軸部材１５の頭部１５ａから無理外しされて、折戸５Ａ〜５Ｄを上ランナー６から取外せるようになる。
【００３２】
前記下ランナー８は、折戸５Ａの左端下部、折戸５Ｂの右端下部、折戸５Ｃの左端下部、折戸５Ｄの右端下部にそれぞれ取付けられている。
【００３３】
この下ランナー８は、図２および図３に示すように、有頂円筒状のスリーブ２０内に軸部材２１が上下摺動自在に嵌合されて、この軸部材２１はスプリング２２で下方に突出する方向に付勢されている。この軸部材２１の下端部には、ピボット（ローラ）２３が水平方向回りに回転自在に取付けられている。
【００３４】
前記下ランナー８は、スリーブ２０を折戸５Ａ〜５Ｄの圧入穴５ｄに下方から圧入することにより、折戸５Ａ〜５Ｄの下部に固定状態で取付けられるようになる。
【００３５】
前記下ランナー８は、折戸５Ａ〜５Ｄとともにピボット２３を下レール３に落とし込むことで、下レール３に沿って左右方向にガイドされるようになる。
【００３６】
前記折戸５Ａ〜５Ｄにおいて、左端の折戸５Ａと右端の折戸５Ｄとをそれぞれ吊元固定するために、前記上レール２の左右端部には、図２に示すように、左右端部の折戸５Ａ，５Ｄの上ランナー６をそれぞれ引っ掛けて係止可能な上ストッパー２５がそれぞれ設けられている。なお、図２では、左端部の上ストッパー２５のみを図示している。
【００３７】
また、前記下レール３の左右端部には、図２に示すように、折戸５Ａ，５Ｄの下ランナー８のピボット２３を下方に落とし込んで係止可能な下ストッパー２８がそれぞれ設けられている。なお、図２では、左端部の下ストッパー２８のみを図示している。
【００３８】
前記のように折戸５Ａ〜５Ｄの開閉装置を構成すれば、折戸５Ａ〜５Ｄの上部に取付けたベースカップ７の係止凹部７Ｂに、上ランナー６の吊下げ用軸部材１６の嵌め込み側の軸線Ｃ上の位置に発光部１６Ａ，１６Ｂを設けたから、薄暗い施工現場であっても、発光部１６Ａ，１６Ｂを目印にすることで、重い折戸５Ａ〜５Ｄを持って、高い位置にある上ランナー６の吊下げ用軸部材１５に折戸５Ａ〜５Ｄのベースカップ７を吊下げ連結する作業が短時間（約１〜２秒）で確実に行えるので、作業性が改善されるようになる。
【００３９】
前記実施形態は、上ランナー６に折戸５Ａ〜５Ｄをそれぞれ取付ける際には、下ランナー８を折戸５Ａ〜５Ｄとともにピボット２３を下レール３に落とし込んだ状態で、上レール２の上ランナー６の吊下げ用軸部材１５の頭部１５ａに、折戸５Ａ〜５Ｄのベースカップ７のクリップ部７ｄを内方に向かって無理嵌めするタイプであったが、下ランナー８や下レール３が無くて、折戸５Ａ〜５Ｄを持ち上げながら、上ランナー６の吊下げ用軸部材１５の頭部１５ａに、折戸５Ａ〜５Ｄのベースカップ７のクリップ部７ｄを内方に向かって無理嵌めするタイプの場合には特に有効である。
【００４０】
前記実施形態では、吊戸として折戸を例にとったが、互い違いの引戸を吊元固定する場合にも本発明は適用できるものである。
【図面の簡単な説明】
【００４１】
【図１】折戸であり、（ａ）は閉じた状態の正面図、（ｂ）は左側半分を開いた平面断面図である。
【図２】上ランナー、ベースカップ、下ランナーの正面図である。
【図３】上ランナー、ベースカップ、下ランナーの側面図である。
【図４】上ランナーにベースカップを吊下げ連結した後の正面図である。
【図５】上ランナーにベースカップを吊下げ連結する前の斜視図である。
【図６】上ランナーにベースカップを吊下げ連結した後の斜視図である。
【図７】ベースカップの背面側斜視図である。
【図８】折戸の要部であり、（ａ）は平面図、（ｂ）は側面図、（ｃ）は正面図である。
【図９】ベースカップの基体部の圧入用凹凸段部の平面断面図である。
【図１０】（ａ）〜（ｃ）は、上ランナーに折戸を取付ける要領の側面図である。
【図１１】上ランナーに折戸を取付ける要領の側面図である。
【符号の説明】
【００４２】
１      戸枠
２      上レール
５Ａ〜５Ｄ  折戸（吊戸）
６      上ランナー
７      ベースカップ
７Ｂ    係止凹部
７ｄ    クリップ部
１７    ロックレバー（発光部）
１５    吊下げ用軸部材
１６Ａ，１６Ｂ  発光部
Ｃ      軸線
【図１】
2006063578.tif 000003
【図２】
2006063578.tif 000004
【図３】
2006063578.tif 000005
【図４】
2006063578.tif 000006
【図５】
2006063578.tif 000007
【図６】
2006063578.tif 000008
【図７】
2006063578.tif 000009
【図８】
2006063578.tif 000010
【図９】
2006063578.tif 000011
【図１０】
2006063578.tif 000012
【図１１】
2006063578.tif 000013